(57)【要約】【課題】地中熱循環回路のエア抜き作業を簡略化した地中熱ヒートポンプ装置を提供する。【解決手段】圧縮機４、負荷側熱交換器５、減圧手段６、熱源側熱交換器７を接続したヒートポンプ回路９と、熱源側熱交換器７と地中に埋設した地中熱交換パイプ１０とを接続する地中熱循環回路１１とを備え、地中熱循環回路１１は、熱源側熱交換器７、熱交往き管１２、流路切換手段１３、地中往き管１４、地中熱交換パイプ１０、地中戻り管１５、流路切換手段１３、熱交戻り管１６、熱源側熱交換器７の順に環状に接続して構成され、熱交往き管１２または熱交戻り管１６に、地中熱循環ポンプ２１とエア抜き手段２２を設け、流路切換手段１３は、熱交往き管１２と地中往き管１４とを連通し且つ地中戻り管１５と熱交戻り管１６とを連通する状態Ａと、熱交往き管１２と地中戻り管１５とを連通し且つ地中往き管１４と熱交戻り管１６とを連通する状態Ｂとに切り換え可能とした。【選択図】  図１
2014156967.tif 000002
【特許請求の範囲】
【請求項１】
圧縮機、負荷側熱交換器、減圧手段、熱源側熱交換器を冷媒配管で環状に接続したヒートポンプ回路と、地中に埋設した地中熱交換パイプと、前記熱源側熱交換器と前記地中熱交換パイプとを環状に接続する地中熱循環回路とを備え、前記地中熱循環回路は、前記熱源側熱交換器、熱交往き管、流路切換手段、地中往き管、前記地中熱交換パイプ、地中戻り管、前記流路切換手段、熱交戻り管、前記熱源側熱交換器の順に環状に接続したもので構成され、前記熱交往き管または前記熱交戻り管に、前記地中熱循環回路に熱媒を循環させる地中熱循環ポンプとエア抜き手段を設け、前記流路切換手段は、前記熱交往き管と前記地中往き管とを連通し、且つ前記地中戻り管と前記熱交戻り管とを連通する状態Ａと、前記熱交往き管と前記地中戻り管とを連通し、且つ前記地中往き管と前記熱交戻り管とを連通する状態Ｂとに切り換え可能としたことを特徴とする地中熱ヒートポンプ装置。
【請求項２】
前記流路切換手段を電動弁を有する構成とし、前記地中熱循環ポンプの吐出口側に第１圧力検出手段、前記地中熱循環ポンプの吸込口側に第２圧力検出手段を設け、さらに、前記流路切換手段と前記地中熱循環ポンプの作動を制御する制御手段を設け、前記制御手段は、前記地中熱循環ポンプを駆動させて前記地中熱循環回路のエアを抜くエア抜き運転を行う際、前記流路切換手段を前記状態Ａとして所定時間前記地中熱循環ポンプを駆動させ、その後、前記流路切換手段を前記状態Ｂに切り換えて所定時間前記地中熱循環ポンプを駆動させ、その時の前記第１圧力検出手段の検出する圧力値と前記第２圧力検出手段の検出する圧力値との差が所定値以下の場合、前記地中熱循環回路のエアが抜けたと判断するようにしたことを特徴とする請求項１記載の地中熱ヒートポンプ装置。
【発明の詳細な説明】
【技術分野】
【０００１】
この発明は、地中に埋設した地中熱交換器に接続される配管のエア抜き作業を簡略化した地中熱ヒートポンプ装置に関するものである。
【背景技術】
【０００２】
従来この種の地中熱ヒートポンプ装置においては、図７に示すように、室外機としてのヒートポンプユニット１０１と、圧縮機１０２、負荷側熱交換器１０３、膨張弁１０４、熱源側熱交換器１０５を冷媒配管１０６で環状に接続したヒートポンプ回路１０７と、地中に設置された地中熱交換パイプ１０８と、熱源側熱交換器１０５と地中熱交換器１０８とを環状に接続した地中熱循環回路１０９と、地中熱循環回路１０９を構成する熱源側熱交換器１０５と熱交往き管１１０と地中往き管１１１と地中熱交換パイプ１０８と地中戻り管１１２と熱交戻り管１１３と、熱交戻り管１１３に設けられ地中熱循環回路１０９に熱媒を循環させる地中熱循環ポンプ１１４と、熱交戻り管１１３に設けられた膨張タンク１１５と、床暖房パネル等の負荷端末１１６と、負荷端末１１６と負荷側熱交換器１０３とを循環液配管１１７で環状に接続した負荷側循環回路１１８と、負荷側循環回路１１８に循環液を循環させる負荷側循環ポンプ１１９とを備えたものがあった。（例えば、特許文献１参照。）
【先行技術文献】
【特許文献】
【０００３】
【特許文献１】特開２０１１−９４８４０号公報
【発明の概要】
【発明が解決しようとする課題】
【０００４】
この従来の地中熱ヒートポンプ装置では、施工後、地中熱循環回路１０９に熱媒を注水し、地中熱循環ポンプ１１４を駆動させて地中熱循環回路１０９のエアを抜くエア抜き運転を行うものであるが、地中熱循環回路１０９のうち地中熱交換パイプ１０８内のエアは、地中熱交換パイプ１０８内を上昇していき、地中往き管１１１および地中戻り管１１２に到達するため、エアは地中往き管１１１および地中戻り管１１２に特に残留しやすくなる。ここで、地中熱循環回路１０９のエア抜き運転に際し、地中熱循環ポンプ１１４を駆動させると、図８に示すように、地中戻り管１１２内のエアは、エアの浮力とポンプ圧の方向が同方向なので、地中熱循環ポンプ１１４側に引っ張られて膨張タンク１１５を介して抜けるが、地中往き管１１１内では、エアの浮力とポンプ圧の方向が逆方向であること、また、地中熱交換パイプ１０８は最深部の折り返し部分までの長さが長さ１０ｍ程度から長いものでは長さ１００ｍ程度のものもあることから、地中往き管１１１内のエアは地中戻り管１１２側まで到達させることが困難で、地中往き管１１１内に残留してしまう。そして、地中熱循環回路１０９内のエアが抜けないと地中熱循環ポンプ１１４がエアロックしたり、地中熱循環ポンプ１１４を駆動させても、エアが抵抗となり所望の循環流量を出すことができないという問題が生じてしまう。
【０００５】
そこで、この従来の地中熱ヒートポンプ装置では、地中戻り管１１２のエア抜きを行うため、図９に示すように、ヒートポンプユニット１０１外に、熱媒を貯溜する貯溜タンク１２０と熱媒を地中熱交換パイプ１０８側に循環させる加圧ポンプ１２１とを内部に有するシスターン１２２を設置し、地中往き管１１１に注入管１２３を接続すると共に、地中戻り管１１２に排出管１２４を接続して、シスターン１２２と地中熱交換パイプ１０８とを環状に接続し、ヒートポンプユニット１０１をバイパスするバイパス回路１２５を形成し、加圧ポンプ１２１を所定時間駆動させて、図９中の矢印が示す方向に熱媒を循環させて、まず、地中戻り管１１２内のエアを抜く。続いて、図１０に示すように、地中戻り管１１２に注入管１２３を接続すると共に、地中往き管１１１に排出管１２４を接続し、加圧ポンプ１２１を所定時間駆動させて、図１０中の矢印が示す方向に熱媒を循環させて、地中往き管１１１内のエアを抜くものである。
【０００６】
しかし、このような方法によって地中往き管１１１および地中戻り管１１２のエア抜きを行うと、作業者が注入管１２３と排出管１２４を接続し直すという作業を行わなければならないため、作業が煩雑でエア抜き工程に手間取ってしまうという問題が発生し、さらに、ヒートポンプユニット１０１内の地中熱循環回路１０９のエア抜きは別途行わなければならないという問題点を有するものであった。
【課題を解決するための手段】
【０００７】
この発明は上記課題を解決するために、特に請求項１ではその構成を、圧縮機、負荷側熱交換器、減圧手段、熱源側熱交換器を冷媒配管で環状に接続したヒートポンプ回路と、地中に埋設した地中熱交換パイプと、前記熱源側熱交換器と前記地中熱交換パイプとを環状に接続する地中熱循環回路とを備え、前記地中熱循環回路は、前記熱源側熱交換器、熱交往き管、流路切換手段、地中往き管、前記地中熱交換パイプ、地中戻り管、前記流路切換手段、熱交戻り管、前記熱源側熱交換器の順に環状に接続したもので構成され、前記熱交往き管または前記熱交戻り管に、前記地中熱循環回路に熱媒を循環させる地中熱循環ポンプとエア抜き手段を設け、前記流路切換手段は、前記熱交往き管と前記地中往き管とを連通し、且つ前記地中戻り管と前記熱交戻り管とを連通する状態Ａと、前記熱交往き管と前記地中戻り管とを連通し、且つ前記地中往き管と前記熱交戻り管とを連通する状態Ｂとに切り換え可能とするものとした。  
【０００８】
また、請求項２では、前記流路切換手段を電動弁を有する構成とし、前記地中熱循環ポンプの吐出口側に第１圧力検出手段、前記地中熱循環ポンプの吸込口側に第２圧力検出手段を設け、さらに、前記流路切換手段と前記地中熱循環ポンプの作動を制御する制御手段を設け、前記制御手段は、前記地中熱循環ポンプを駆動させて前記地中熱循環回路のエアを抜くエア抜き運転を行う際、前記流路切換手段を前記状態Ａとして所定時間前記地中熱循環ポンプを駆動させ、その後、前記流路切換手段を前記状態Ｂに切り換えて所定時間前記地中熱循環ポンプを駆動させ、その時の前記第１圧力検出手段の検出する圧力値と前記第２圧力検出手段の検出する圧力値との差が所定値以下の場合、前記地中熱循環回路のエアが抜けたと判断するものとした。
【発明の効果】
【０００９】
この発明の請求項１によれば、エア抜きのために配管を接続し直すといった無駄な作業がなく、作業が簡略化されエア抜き工程の時間を短縮することができるものであり、流路切換手段は、状態Ａと状態Ｂとに切り換え可能としたことで、地中往き管、地中熱交換パイプ、地中戻り管の熱媒の循環方向を、地中往き管→地中熱交換パイプ→地中戻り管の順に循環する方向と、地中戻り管→地中熱交換パイプ→地中往き管の順に循環する方向とに切り換えることができ、地中熱循環回路の中でエアの残留しやすい地中往き管および地中戻り管のエアを順にエア抜き手段に導き、地中熱循環回路全体のエアを抜くことができるものである。
【００１０】
また、請求項２によれば、制御手段は、エア抜き運転を行う際、電動弁を有する構成の流路切換手段を状態Ａとして所定時間地中熱循環ポンプを駆動させ、その後、前記流路切換手段を状態Ｂに切り換えて所定時間地中熱循環ポンプを駆動させ、その時の第１圧力検出手段の検出する圧力値と第２圧力検出手段の検出する圧力値との差が所定値以下の場合は、地中熱循環回路のエアが抜けたと判断することで、電動弁を有する流路切換手段による熱媒の循環する流路の切り換えと、第１圧力検出手段の検出する圧力値と第２圧力検出手段の検出する圧力値との圧力値差の算出により、地中熱循環回路の確実なエア抜きを実施することができると共に、エア抜き作業の自動化を図ることができるものである。
【図面の簡単な説明】
【００１１】
【図１】この発明の一実施形態の地中熱ヒートポンプ装置の概略構成図。
【図２】同一実施形態の地中熱ヒートポンプ装置のエア抜き運転時の動作を示すフローチャート。
【図３】同一実施形態の地中熱ヒートポンプ装置における地中戻り管のエア抜き時の簡略図。
【図４】同一実施形態の地中熱ヒートポンプ装置における地中往き管のエア抜き時の簡略図。
【図５】同一実施形態の地中熱ヒートポンプ装置の他の流路切換手段を示した簡略図。
【図６】同一実施形態の地中熱ヒートポンプ装置のさらに他の流路切換手段を示した簡略図。
【図７】従来の地中熱ヒートポンプ装置の概略構成図。
【図８】従来の地中熱ヒートポンプ装置におけるエア抜き運転時のエアの様子を表す説明図。
【図９】従来の地中熱ヒートポンプ装置における地中戻り管のエア抜き時の簡略図。
【図１０】従来の地中熱ヒートポンプ装置における地中往き管のエア抜き時の簡略図。
【発明を実施するための形態】
【００１２】
次に、この発明の一実施形態の地中熱ヒートポンプ装置を図１に基づき説明する。
図示のように、本実施形態の地中熱ヒートポンプ装置は、大きく分けて室外機としてのヒートポンプユニット１と、熱媒循環式の地中熱交換部２と、負荷熱交換部３とから構成されるものである。
【００１３】
前記ヒートポンプユニット１は、冷媒を圧縮する回転数可変の圧縮機４と、圧縮機４から吐出された高温高圧冷媒を流通させこの高温高圧冷媒と負荷熱交換部３の負荷側の熱媒との熱交換を行う負荷側熱交換器５と、負荷側熱交換器５から流出する冷媒を減圧する減圧手段としての膨張弁６と、膨張弁６からの低温低圧冷媒を流通させこの低温低圧冷媒と地中熱交換部２の熱源側の熱媒との熱交換を行う熱源側熱交換器７とを備え、これらを冷媒配管８で環状に接続してヒートポンプ回路９を形成しているものである。なお、ヒートポンプユニット１の冷媒としては、二酸化炭素冷媒やＨＦＣ冷媒等の任意の冷媒を用いることができるものである。
【００１４】
前記地中熱交換部２は、熱源側熱交換器７と、地中に埋設された地中熱交換パイプ１０と、熱源側熱交換器７と地中熱交換パイプ１０とを環状に接続する地中熱循環回路１１を有し、この地中熱循環回路１１は、熱源側熱交換器７、熱交往き管１２、流路切換手段１３、地中往き管１４、地中熱交換パイプ１０、地中戻り管１５、流路切換手段１３、熱交戻り管１６、熱源側熱交換器７の順に環状に接続されたもので構成され、熱媒である不凍液を循環可能としているものである。また、１７、１８はヒートポンプユニット１の筐体に取り付けられている配管接続口、１９は地中往き管１４と地中熱交換パイプ１０の一端とを接続する継手、２０は地中戻り管１５と地中熱交換パイプ１０の他端とを接続する継手である。なお、地中熱交換パイプ１０は最深部の折り返し部分までの長さが１０ｍ程度〜１００ｍ程度のものである。
【００１５】
前記流路切換手段１３は、熱交往き管１２と地中往き管１４とを連通し、且つ地中戻り管１５と熱交戻り管１６とを連通する状態Ａと、熱交往き管１２と地中戻り管１５とを連通し、且つ地中往き管１４と熱交戻り管１６とを連通する状態Ｂとに切り換えることができるものであり、地中熱交換パイプ１０を流通する熱媒の流通方向を変更可能とするものである。ここでは、流路切換手段１３を状態Ａとしたときに、地中熱循環回路１１を流通する熱媒は、熱源側熱交換器７から熱交往き管１２を流れ、流路切換手段１３を介して地中往き管１４から地中熱交換パイプ１０に流入し、地中熱交換パイプ１０を流出した後、地中戻り管１５から流路切換手段１３を介して熱交戻り管１６を流れ、熱源側熱交換器７に戻るものであり、一方、流路切換手段１３を状態Ｂとしたときには、熱源側熱交換器７から熱交往き管１２を流れ、流路切換手段１３を介して地中戻り管１５から地中熱交換パイプ１０に流入し、地中熱交換パイプ１０を流出した後、地中往き管１４から流路切換手段１３を介して熱交戻り管１６を流れ、熱源側熱交換器７に戻るものであり、流路切換手段１３が状態Ａのときは、地中往き管１４、地中熱交換パイプ１０、地中戻り管１５の順に熱媒が流通する正方向の流路を形成する状態となるのに対して、前記状態Ｂのときは、地中戻り管１５、地中熱交換パイプ１０、地中往き管１４の順に熱媒が流通する逆方向の流路を形成する状態となるものである。なお、本実施形態の流路切換手段１３としては、内部の弁体をモータで駆動させ、熱媒が流通する流路の切り換えを行う電動四方弁を用いているものである。
【００１６】
また、地中熱交換部２の熱交戻り管１６には、地中熱循環回路１１に熱媒である不凍液を循環させる地中熱循環ポンプ２１が設けられ、この地中熱循環ポンプ２１は流路切換手段１３よりも熱源側熱交換器７側に配置されているものである。さらに、熱交戻り管１６には、エア抜き手段としての半密閉式の膨張タンク２２が設けられ、地中熱循環ポンプ２１の吸込口側に配置されているものである。なお、２３は地中熱循環回路１１に熱媒が循環している時の熱媒の圧力（水圧）を検出する第１圧力検出手段としての第１圧力センサで、地中熱循環ポンプ２１の吐出口側に設けられたものであり、２４は地中熱循環回路１１に熱媒が循環している時の熱媒の圧力（水圧）を検出する第２圧力検出手段としての第２圧力センサで、地中熱循環ポンプ２１の吸込口側に設けられたものである。ここでは、第１圧力センサ２３を熱交往き管１２に配設しているが、地中熱循環ポンプ２１の吐出口から熱源側熱交換器７までの熱交戻り管１６に配設してもよいものである。
【００１７】
前記負荷熱交換部３は、負荷側熱交換器５と、被空調空間の暖房または冷房を行う負荷端末２５と、負荷側熱交換器５と負荷端末２５との間を循環液配管２６で環状に接続する負荷側循環回路２７と、負荷側循環回路２７に循環液として不凍液を循環させる負荷側循環ポンプ２８とを備えているものである。
【００１８】
前記負荷端末２５によって暖房または冷房が行われる被空調空間には、リモコン（図示せず）が設置されており、このリモコンにより被空調空間の暖房または冷房の指示がなされると、圧縮機４および地中熱循環ポンプ２１および負荷側循環ポンプ２８の駆動が開始され、被空調空間を暖房または冷房する暖房運転または冷房運転を行うものである。
【００１９】
２９は第１圧力センサ２３、第２圧力センサ２４の入力や前記リモコンからの信号を受けて、圧縮機４、膨張弁６、流路切換手段１３、地中熱循環ポンプ２１、負荷側循環ポンプ２８の各アクチュエータの作動を制御するマイコンを有する制御手段である。
【００２０】
次に、図１に示す一実施形態の地中熱循環回路１１のエア抜き運転時の動作について、図２に示すフローチャートに基づき説明する。
本実施形態の地中熱ヒートポンプ装置を施工し、地中熱循環回路１１に熱媒である不凍液を注水した後、制御手段２９の制御基板に設けられた操作スイッチ（例えば、試運転スイッチ等）を操作することで、地中熱循環回路１１のエアを抜くエア抜き運転を開始するものであるが、まず、制御手段２９は流路切換手段１３を、熱交往き管１２と地中往き管１４とを連通し、且つ地中戻り管１５と熱交戻り管１６とを連通する状態Ａに切り換え（ステップＳ１）、地中熱循環ポンプ２１の駆動を開始させるものである（ステップＳ２）。
【００２１】
次に、制御手段２９は、地中熱循環ポンプ２１の駆動を開始させてから所定時間、例えば２０分が経過したか否か判断し（ステップＳ３）、所定時間が経過していない間はステップＳ３の判断を繰り返し行い、その間、地中熱循環回路１１を循環する熱媒は、図３に示すように、熱源側熱交換器７から熱交往き管１２を流れ、流路切換手段１３を介して地中往き管１４から地中熱交換パイプ１０に流入し、地中熱交換パイプ１０を通過した後、地中戻り管１５から流路切換手段１３を介して熱交戻り管１６を流れて熱源側熱交換器７に戻ってくるものであり、地中戻り管１５内に残留していたエアは膨張タンク２２に運ばれ、膨張タンク２２から抜けていくものである。また、この時、膨張タンク２２より熱源側熱交換器７側の熱交戻り管１６内のエアおよび熱交往き管１２内のエアは地中往き管１４側に押し込まれているものである。
【００２２】
そして、制御手段２９は、前記ステップＳ３にて所定時間が経過したと判断すると、地中熱循環ポンプ２１を一旦停止させ（ステップＳ４）、流路切換手段１３を、熱交往き管１２と地中戻り管１５とを連通し、且つ地中往き管１４と熱交戻り管１６とを連通する状態Ｂに切り換え（ステップＳ５）、地中熱循環ポンプ２１の駆動を再開させるものである（ステップＳ６）。
【００２３】
続いて、制御手段２９は、前記ステップＳ６で地中熱循環ポンプ２１の駆動を再開させてから所定時間、例えば２０分が経過したか否か判断し（ステップＳ７）、所定時間が経過していない間はステップＳ７の判断を繰り返し行い、その間、地中熱循環回路１１を循環する熱媒は、図４に示すように、熱源側熱交換器７から熱交往き管１２を流れ、流路切換手段１３を介して地中戻り管１５から地中熱交換パイプ１０に流入し、地中熱交換パイプ１０を通過した後、地中往き管１４から流路切換手段１３を介して熱交戻り管１６を流れて熱源側熱交換器７に戻ってくるものであり、この時、地中往き管１４内に残留していたエアは膨張タンク２２に運ばれ、膨張タンク２２から抜けていくものである。
【００２４】
そして、制御手段２９は、前記ステップＳ７にて所定時間が経過したと判断すると、地中熱循環ポンプ２１を駆動させたまま、第１圧力センサ２３と第２圧力センサ２４の検出する熱媒の圧力値を取得し（ステップＳ８）、第１圧力センサ２３が検出した圧力値と第２圧力センサ２４が検出した圧力値との差が所定値以下か否か判断するものであるが（ステップＳ９）、ここで、前記所定値は、地中熱循環ポンプ２１の回転数を一定回転数で回転させたときに得られる、揚程と流量との関係を表すこの地中熱循環ポンプ２１の揚程曲線を予め求めておき、その揚程曲線から所定流量（ここでは１５Ｌ／ｍｉｎとする）が流れるのに必要とされる揚程（＝地中熱循環ポンプ２１の吐出側と吸込側との圧力差）を所定値（ここでは１２０ｋＰａ）として予め制御手段２９に記憶しておくものであり、圧力値差がその所定値以下であれば、地中熱循環回路１１で熱媒の流れの抵抗となるようなエアは抜けており、地中熱循環回路１１を熱媒が正常に流れているものと判断することができるものである。なお、エア抜き運転の時は、前記揚程曲線を得たときの回転数と同じ回転数で駆動させているものである。
【００２５】
前記ステップＳ９で、第１圧力センサ２３が検出した圧力値と第２圧力センサ２４が検出した圧力値との差が所定値以下であると判断した場合は、地中熱循環回路１１のエアが抜けたと判断し、地中熱循環ポンプ２１の駆動を停止させ、エア抜き運転を終了するものであり、一方、前記ステップＳ９で、第１圧力センサ２３が検出した圧力値と第２圧力センサ２４が検出した圧力値との差が所定値より大きいと判断した場合は、地中熱循環回路１１のエアが抜けていないと判断して、地中熱循環ポンプ２１の駆動を停止させ（ステップＳ１０）、前記ステップＳ１の処理に戻り、再度エア抜き運転を行うものである。
【００２６】
以上説明したエア抜き運転において、流路切換手段１３は、状態Ａと状態Ｂとに切り換え可能としたことで、エア抜き運転時に、地中往き管１４、地中熱交換パイプ１０、地中戻り管１５の熱媒の循環方向を、地中往き管１４→地中熱交換パイプ１０→地中戻り管１５の順に循環する方向と、地中戻り管１５→地中熱交換パイプ１０→地中往き管１４の順に循環する方向とに切り換えることができ、地中熱循環回路１１の中でエアの残留しやすい地中往き管１４および地中戻り管１５のエアを順に膨張タンク２２に導き、地中熱循環回路１１全体のエアを抜くことができるものである。
【００２７】
また、エア抜き運転の際は、制御手段２９は、流路切換手段１３を状態Ａとして所定時間地中熱循環ポンプ２１を駆動させ、その後、流路切換手段１３を状態Ｂに切り換えて所定時間地中熱循環ポンプ２１を駆動させ、その時の第１圧力センサ２３の検出する圧力値と第２圧力センサ２４の検出する圧力値との差が所定値以下の場合は、地中熱循環回路１１で抵抗となるようなエアは抜けたと判断することができるので、電動弁を有する流路切換手段１３による熱媒の循環する流路の切り換えと、第１圧力センサ２３の検出する圧力値と第２圧力センサ２４の検出する圧力値との圧力値差の算出により、地中熱循環回路１１の確実なエア抜きを実施することができると共に、エア抜き作業の自動化を図ることができるものである。
【００２８】
また、本実施形態の地中熱ヒートポンプ装置では、エア抜きのために配管を接続し直すといった無駄な作業がなく、作業が簡略化されエア抜き工程の時間を短縮することができるものである。
【００２９】
なお、本実施形態では、流路切換手段１３として電動四方弁を用いて、制御手段２９が内部の弁体を駆動させる電動四方弁のモータを制御することによって、熱交往き管１２と地中往き管１４とを連通し、且つ地中戻り管１５と熱交戻り管１６とを連通する状態Ａと、熱交往き管１２と地中戻り管１５とを連通し、且つ地中往き管１４と熱交戻り管１６とを連通する状態Ｂとに切換可能としたものであるが、図５に示すように、流路切換手段１３は、内部の弁体をモータで駆動させ、熱媒が流通する流路の切り換えを行う電動三方弁３０、３１を有する構成とし、制御手段２９が電動三方弁３０、３１のモータを制御することによって、前記状態Ａと前記状態Ｂとに切換可能とするものでもよく、さらに、図６に示すように、内部の弁体をモータで駆動させ、熱媒が流通する流路の開閉を行う電動二方弁３２、３３、３４、３５を有する構成とし、制御手段２９が電動二方弁３２、３３、３４、３５のモータを制御することにより、開閉する流路を選択して、前記状態Ａと前記状態Ｂとに切換可能とするものであってもよいものであり、流路切換手段１３は、前記状態Ａと前記状態Ｂとに切り換え可能なものであれば、特に限定されるものではなく、手動で前記状態Ａと前記状態Ｂとに切り換えることができるものであってもよい。
【００３０】
また、本実施形態では、熱交戻り管１６に地中熱循環ポンプ２１と膨張タンク２２とを設けたが、地中熱循環ポンプ２１と膨張タンク２２は、熱交往き管１２に設けられていてもよく、また、熱交往き管１２に地中熱循環ポンプ２１、熱交戻り管１６に膨張タンク２２を設けてもよく、さらに、熱交往き管１２に膨張タンク２２、熱交戻り管１６地中熱循環ポンプ２１を設けてもよいものである。
【符号の説明】
【００３１】
４  圧縮機
５  負荷側熱交換器
６  膨張弁
７  熱源側熱交換器
８  冷媒配管
９  ヒートポンプ回路
１０  地中熱交換パイプ
１１  地中熱循環回路
１２  熱交往き管
１３  流路切換手段
１４  地中往き管
１５  地中戻り管
１６  熱交戻り管
２１  地中熱循環ポンプ
２２  膨張タンク
２３  第１圧力センサ
２４  第２圧力センサ
２９  制御手段
【図１】
2014156967.tif 000003
【図２】
2014156967.tif 000004
【図３】
2014156967.tif 000005
【図４】
2014156967.tif 000006
【図５】
2014156967.tif 000007
【図６】
2014156967.tif 000008
【図７】
2014156967.tif 000009
【図８】
2014156967.tif 000010
【図９】
2014156967.tif 000011
【図１０】
2014156967.tif 000012